(57)【要約】【課題】入浴時間が基準時間を超過した場合における入浴者の安否を簡便かつ適切に確認可能な風呂装置を提供する。【解決手段】風呂装置は、浴室内の浴槽に湯水を供給するための給湯器と、浴室内に設置され、給湯器を操作するための第１リモコン３０と、浴室外に設置され、第１リモコン３０と通信し、給湯器を操作するための第２リモコン２０とを備える。第２リモコン２０は、浴槽への入浴者の入浴時間が第１の基準時間を超えたとき、第１リモコン３０に対して、入浴者の安否を確認するための安否確認指令を送信するように構成される。第１リモコン３０は、安否確認指令を受信すると、入浴者の安否情報の応答を促す報知を行なうように構成される。第２リモコン２０は、さらに、安否確認指令を送信してから第２の基準時間内における安否応答に基づく安否情報を報知するように構成される。【選択図】図４
2020047182.tif 000002
【特許請求の範囲】
【請求項１】
浴室内の浴槽に湯水を供給するための給湯器と、
前記浴室内に設置され、前記給湯器を操作するための第１リモコンと、
前記浴室外に設置され、前記第１リモコンと通信し、前記給湯器を操作するための第２リモコンとを備え、
前記第２リモコンは、前記浴槽への入浴者の入浴時間が第１の基準時間を超えたとき、前記第１リモコンに対して、前記入浴者の安否を確認するための安否確認指令を送信するように構成され、
前記第１リモコンは、前記安否確認指令を受信すると、前記入浴者の安否情報の応答を促す報知を行なうように構成され、
前記第２リモコンは、さらに、前記安否確認指令を送信してから第２の基準時間内における安否応答に基づく前記安否情報を報知するように構成される、風呂装置。
【請求項２】
前記第２リモコンは、前記入浴時間が前記第１の基準時間を超えた場合において、前記安否確認を要求する操作を受け付け可能に構成され、
前記第２リモコンは、前記安否確認を要求する操作を受け付けたとき、前記安否確認指令を送信する、請求項１に記載の風呂装置。
【請求項３】
前記第２リモコンは、前記安否確認を中断する操作を受け付け可能に構成され、
前記第２リモコンは、前記安否応答を受信したとき、前記第２の基準時間内に前記安否応答が受信されないとき、または、前記安否確認を中断する操作を受け付けたときには、前記安否確認を終了する、請求項１または２に記載の風呂装置。
【請求項４】
前記第１リモコンおよび前記第２リモコンの少なくとも一方は、前記第２リモコンにおける安否確認機能を無効化する操作を受け付け可能に構成される、請求項１から３のいずれか１項に記載の風呂装置。
【請求項５】
前記第１リモコンおよび前記第２リモコンの少なくとも一方は、前記第１の基準時間の設定を受け付け可能に構成される、請求項１から４のいずれか１項に記載の風呂装置。
【請求項６】
前記第１リモコン、前記第２リモコンおよび前記給湯器のいずれかは、通信網を介して通信端末と通信が可能に構成され、
前記第１リモコンおよび前記第２リモコンは、前記入浴時間が前記第１の基準時間を超えたときに前記通信端末から前記安否確認指令を受信した場合には、前記安否応答を促す報知を行なうように構成され、
前記第１リモコンおよび前記第２リモコンは、さらに、前記第２の基準時間内における前記安否応答に基づく前記安否情報を前記通信端末に送信するように構成される、請求項１から５のいずれか１項に記載の風呂装置。
【請求項７】
前記通信端末は、安否確認を中断する操作を受け付け可能に構成され、
前記通信端末は、前記安否応答を受信したとき、前記安否確認指令を送信してから前記第２の基準時間内に前記安否応答が受信されないとき、または、前記安否確認を中断する操作を受け付けたときには、前記安否確認を終了する、請求項６に記載の風呂装置。
【請求項８】
前記第１リモコン、前記第２リモコンおよび前記通信端末の少なくとも１つは、前記第２リモコンおよび前記通信端末における安否確認機能を無効化する操作を受け付け可能に構成される、請求項６または７に記載の風呂装置。
【請求項９】
前記通信端末は、前記第１の基準時間の設定を受け付け可能に構成される、請求項６から８のいずれか１項に記載の風呂装置。
【請求項１０】
前記第１リモコン、前記第２リモコンおよび前記給湯器のいずれかは、通信網を介して第１通信端末および第２通信端末と通信可能に構成され、
前記第１リモコンおよび前記第２リモコンは、前記入浴時間が前記第１の基準時間を超えたときに前記第１通信端末から前記安否確認指令を受信した場合には、前記安否応答を促す報知を行なうとともに、前記第２通信端末に前記安否応答を促す報知を行なわせるように構成され、
前記第１リモコンおよび前記第２リモコンは、さらに、前記安否確認指令を受信してから前記第２の基準時間内における、前記第１リモコン、前記第２リモコンおよび前記第２通信端末のいずれかにおける前記安否応答の有無に基づく前記安否情報を前記第１通信端末に送信するように構成される、請求項１から５のいずれか１項に記載の風呂装置。
【発明の詳細な説明】
【技術分野】
【０００１】
本発明は、風呂装置に関し、入浴者の安否を確認する機能を備えた風呂装置に関する。
【背景技術】
【０００２】
風呂装置の一態様として、例えば、特開２００３−１３９３８９号公報（特許文献１）には、入浴者が入浴を開始してから一定時間が経過したことを、遠隔操作装置（たとえば浴室外に設置されたリモコン）で報知する構成が記載されている。この構成では、入浴者の体調に異変が生じている可能性に、入浴者以外の者（例えば浴室外にいる家族等）が気付くことができる。
【先行技術文献】
【特許文献】
【０００３】
【特許文献１】特開２００３−１３９３８９号公報
【発明の概要】
【発明が解決しようとする課題】
【０００４】
しかしながら、上記の構成においては、遠隔操作装置から一定時間の経過が報知された場合に、入浴者以外の者にとっては、入浴者が単に長時間入浴しているだけなのか、入浴者の体調に異変が生じているかが不明である。それゆえ、入浴者の安否を確認するためには、上記報知を受けた入浴者以外の者が浴室へ出向かなければならないという課題があった。
【０００５】
この発明は、上記課題に鑑みてなされたものであり、その目的は、入浴時間が基準時間を超過した場合における入浴者の安否を簡便かつ適切に確認可能な風呂装置を提供することである。
【課題を解決するための手段】
【０００６】
この発明のある局面に従う風呂装置は、浴室内の浴槽に湯水を供給するための給湯器と、浴室内に設置され、給湯器を操作するための第１リモコンと、浴室外に設置され、第１リモコンと通信し、給湯器を操作するための第２リモコンとを備える。第２リモコンは、浴槽への入浴者の入浴時間が第１の基準時間を超えたとき、第１リモコンに対して、入浴者の安否を確認するための安否確認指令を送信するように構成される。第１リモコンは、安否確認指令を受信すると、入浴者の安否情報の応答を促す報知を行なうように構成される。第２リモコンは、さらに、安否確認指令を送信してから第２の基準時間内における安否応答に基づく安否情報を報知するように構成される。
【０００７】
上記風呂装置によれば、入浴時間が第１の基準時間を超過した場合、浴室外のユーザは、浴室外の第２リモコン（例えば、台所リモコン）を用いて入浴者の安否を確認することができる。また、入浴者による浴室内の第１リモコン（例えば、浴室リモコン）を用いた安否応答に基づいて、入浴者の安否を確認することができるため、ユーザは浴室に出向かなくても、入浴者の安否を簡便かつ適切に確認することができる。
【発明の効果】
【０００８】
この発明によれば、入浴時間が基準時間を超過した場合における入浴者の安否を簡便かつ適切に確認することが可能な風呂装置を提供することができる。
【図面の簡単な説明】
【０００９】
【図１】本発明の実施の形態に係る風呂装置が適用される風呂システムの概略構成を示す図である。
【図２】本実施の形態に係る風呂装置の概略構成を示す図である。
【図３】本実施の形態に係る風呂装置の制御構成を説明するための機能ブロック図である。
【図４】安否確認機能の第１の実施態様を説明するためのシーケンス図である。
【図５】台所リモコンの表示画面の一例を示す図である。
【図６】浴室リモコンの表示画面の一例を示す図である。
【図７】台所リモコンの表示画面の一例を示す図である。
【図８】台所リモコンの表示画面の一例を示す図である。
【図９】台所リモコンの表示画面の一例を示す図である。
【図１０】安否確認機能の設定を説明するためのシーケンス図である。
【図１１】台所リモコンにて実行される安否確認機能に関連する動作を説明するためのフローチャートである。
【図１２】浴室リモコンにて実行される安否確認機能に関連する動作を説明するためのフローチャートである。
【図１３】安否確認機能の第２の実施態様を説明するためのシーケンス図である。
【図１４】携帯端末の表示画面の一例を示す図である。
【図１５】安否確認機能の設定を説明するためのシーケンス図である。
【図１６】安否確認機能の第３の実施態様を説明するためのシーケンス図である。
【図１７】携帯端末の表示画面の一例を示す図である。
【発明を実施するための形態】
【００１０】
以下、本発明の実施の形態について図面を参照して詳細に説明する。なお、以下では図中の同一または相当部分には同一の符号を付して、その説明は原則的に繰返さないものとする。
【００１１】
［実施の形態１］
図１は、本発明の実施の形態に係る風呂装置が適用される風呂システムの概略構成を示す図である。本実施の形態に係る風呂システムは、遠隔操作機能を有している。本願明細書において、遠隔操作機能とは、携帯端末などの通信端末から通信網を経由して風呂装置１００に運転指令を与えることにより、風呂装置１００を遠隔操作する機能を含む。
【００１２】
図１を参照して、風呂装置１００は、給湯器１０と、リモートコントローラ２０，３０とを備える。給湯器１０は、ガス等の燃料燃焼式またはヒートポンプ式で構成され、温水を供給する。給湯器１０からの温水は、図示しない給湯配管を経由して、図示しない浴槽、シャワー、カランおよび浴室暖房乾燥機等へ供給される。
【００１３】
給湯器１０に対する運転指令は、リモートコントローラ２０，３０によって入力される。リモートコントローラ２０は通信線２１によって給湯器１０と接続されている。リモートコントローラ３０は通信線３１によって給湯器１０と接続されている。通信線２１，３１には、たとえば２心通信線が用いられる。なお、給湯器１０およびリモートコントローラ２０，３０間の通信は、公知のいかなる規格に従ったものであってもよく、また、有線であっても無線であってもよい。
【００１４】
リモートコントローラ２０は、浴室の外部であって、例えば、台所の壁面に配設される。以下では、リモートコントローラ２０を「台所リモコン２０」とも称する。台所リモコン２０は、給湯器１０の運転を入り切りするための運転スイッチ２２と、操作スイッチ２３と、表示部２５と、音声出力部２４とを含む。
【００１５】
運転スイッチ２２および操作スイッチ２３は、代表的には、プッシュボタンまたはタッチボタンによって構成することができる。表示部２５は、代表的には、液晶パネルによって構成することができ、画面に触れることによって操作が可能なタッチパネルとして構成してもよい。音声出力部２４は、代表的にはスピーカによって構成することができる。台所リモコン２０は「第２リモコン」の一実施例に対応する。
【００１６】
リモートコントローラ３０は、浴室の壁面に配設される。以下では、リモートコントローラ３０を「浴室リモコン３０」とも称する。浴室リモコン３０は、運転スイッチ３２と、操作スイッチ３３と、表示部３５と、音声出力部３４とを含む。
【００１７】
運転スイッチ３２および操作スイッチ３３は、代表的には、プッシュボタンまたはタッチボタンによって構成することができる。表示部３５は、代表的には、液晶パネルによって構成することができ、画面に触れることによって操作が可能なタッチパネルとして構成してもよい。音声出力部３４は、代表的にはスピーカによって構成することができる。浴室リモコン３０は「第１リモコン」の一実施例に対応する。
【００１８】
台所リモコン２０は、無線通信による通信経路５１によってルータ４０と通信可能に構成されている。ルータ４０は、ネットワーク４５（インターネット）を経由してサーバ５０とアクセス可能に構成されている。したがって、台所リモコン２０は、ルータ４０を経由して、サーバ５０との間で双方向に通信することができる。
【００１９】
携帯端末４１Ａは、無線通信による通信経路５２Ａによってサーバ５０とアクセス可能に構成されている。携帯端末４１Ａは、代表的には、スマートフォンを用いることができる。携帯端末４１Ａとしてスマートフォンを用いる場合、基地局５３を経由してネットワーク４５に接続することによって、サーバ５０にアクセスすることができる。これにより、携帯端末４１Ａは、サーバ５０およびルータ４０を経由して、台所リモコン２０との間で双方向に通信することができる。
【００２０】
ルータ４０は、さらに、無線通信による通信経路５２Ｂを経由して携帯端末４１Ｂとアクセス可能に構成されている。携帯端末４１Ｂは、代表的には、スマートフォンを用いることができる。携帯端末４１Ｂは、ルータ４０を経由して、台所リモコン２０との間で双方向に通信することができる。
【００２１】
なお、台所リモコン２０ではなく、浴室リモコン３０または給湯器１０が通信経路によってルータ４０と通信可能に構成してもよい。その場合、浴室リモコン３０または給湯器１０が、サーバ５０およびルータ４０を経由して、携帯端末４１Ａと通信することができる。また、浴室リモコン３０または給湯器１０が、ルータ４０を経由して、携帯端末４１Ｂと通信することができる。
【００２２】
本実施の形態に係る風呂装置１００は、後述するように、携帯端末４１Ａまたは４１Ｂから通信網を経由して風呂装置１００に運転指令を与えることにより、給湯器１０を遠隔操作することができるように構成される。携帯端末４１Ａは、表示部と操作部が一体となったタッチパネル４４Ａと、音声出力部４３Ａと含む。携帯端末４１Ｂは、タッチパネル４４Ｂと、音声出力部４３Ｂと含む。携帯端末４１Ａ，４１Ｂは「通信端末」の一実施例に対応する。携帯端末４１Ａは「第１通信端末」の一実施例に対応し、携帯端末４１Ｂは「第２通信端末」の一実施例に対応する。
【００２３】
図２は、本実施の形態に係る風呂装置１００の概略構成を示す図である。
図２を参照して、本実施の形態に係る風呂装置１００は、給湯器１０を備える。風呂装置用浴槽（以下、単に「浴槽」と称す）６２は、浴室６０に設置され、かつ人Ｍ（入浴者）が入浴するための浴槽である。本実施の形態の給湯器１０は、浴槽６２に湯水６４を供給可能なものである。
【００２４】
給湯器１０は、筐体１、バーナ２、ファン３、熱交換器４、給水配管５、給湯配管６、混合弁７、循環路８、温度センサ９，１７、ポンプ１６、水位センサ１１、コントローラ１２、二方注湯弁１３、および電気配線１４を備える。
【００２５】
筐体１は、筐体１内外に連通するように設けられ、燃焼ガスを排気するための排気口１ａを有している。筐体１は、バーナ２、ファン３、熱交換器４、給水配管５、給湯配管６、混合弁７、温度センサ９、ポンプ１６、水位センサ１１、コントローラ１２および、二方注湯弁１３を収容可能に構成されている。また、筐体１は、循環路８の一部を収容可能に構成されている。
【００２６】
バーナ２は、図示しない燃料供給系から燃料ガスの供給を受けて燃焼動作するように構成される。バーナ２は、燃焼ガスを熱交換器４に供給する。バーナ２は、給湯用のバーナ２ａと、追焚用のバーナ２ｂとを有する。
【００２７】
熱交換器４は、給湯用の熱交換器４ａと、追焚用の熱交換器４ｂとを有する。熱交換器４ａ，４ｂは、それぞれ、給湯器１０の高さ方向においてバーナ２ａ，２ｂよりも上方に配置されている。熱交換器４ａ，４ｂは、排気口１ａの近傍に配置されている。
【００２８】
熱交換器４ａは、バーナ２ａによって供給された燃焼ガスの熱を回収する。熱交換器４ｂは、バーナ２ｂによって供給された燃焼ガスの熱を回収する。熱交換器４ａ，４ｂの各々は、バーナ２の燃焼ガスの顕熱（燃焼熱）により入水を熱交換によって加熱する、一次熱交換器と、バーナ２からの燃焼排ガスの潜熱によって通流された水を熱交換によって加熱する、二次熱交換器とを含んでいてもよい。
【００２９】
熱交換器４ａの一方端に給水配管５が接続されており、他方端に給湯配管６が接続されている。給水配管５は、入水口５ａから熱交換器４ａに水道水等を給水する。給湯配管６は、熱交換器４ａから出湯口６ａに熱交換器４で加熱された湯水を給湯する。これにより、給水配管５から給水された水道水等は、熱交換器４ａによって所定温度（たとえば、ユーザによる設定温度）まで加熱されて給湯配管６から出湯される。給湯配管６に出湯された湯は、台所や浴室６０等の給湯栓（図示せず）または戻り配管８ａなどの所定の給湯箇所に給湯される。なお、給水配管５と給湯配管６とは混合弁７に接続されている。
【００３０】
温度センサ１７は、給湯配管６に設けられ、混合弁７からの水が混合された後の出湯温度（給湯温度）を検知する。温度センサ１７は、たとえばサーミスタである。
【００３１】
ファン３は、バーナ２に燃焼用の空気を供給する。ファン３は、バーナ２ａに燃焼用の空気を供給するファン３ａと、バーナ２ｂに燃焼用の空気を供給するファン３ｂとを有する。ファン３ａ，３ｂの各々は、羽根と、羽根を回転させるためのモータとを有しており、モータに電流が印加されることにより羽根が回転して燃焼用の空気を供給するように構成されている。ファン３ａ，３ｂは、それぞれ、給湯器１０の高さ方向においてバーナ２ａ，２ｂの下方に配置されている。ファン３ａ，３ｂは１つのファンで構成することもできる。
【００３２】
循環路８は、浴槽６２に接続された状態で浴槽６２の湯水６４を循環するためのものであり、戻り配管８ａおよび往き配管８ｂを有する。戻り配管８ａは熱交換器４ｂの入力側と接続されており、往き配管８ｂは熱交換器４ｂの出力側と接続されている。
【００３３】
戻り配管８ａは、浴槽６２から熱交換器４ｂに湯水６４を供給する。往き配管８ｂは、熱交換器４ｂから浴槽６２に、熱交換器４ｂで暖められた湯水６４を供給する。これにより、浴槽６２から熱交換器４ｂに供給された湯水６４は、熱交換器４ｂを通流する際に燃焼ガスによって加熱されて再び浴槽６２に供給される。
【００３４】
戻り配管８ａには、温度センサ９、ポンプ１６および水位センサ１１が接続されている。戻り配管８ａと給湯配管６とは二方注湯弁１３に接続されている。二方注湯弁１３は、給湯配管６から湯水を戻り配管８ａに供給するように構成されている。二方注湯弁１３を開くことにより、給湯配管６から戻り配管８ａを経由して、所定温度に加熱された湯が浴槽６２に導入される。
【００３５】
温度センサ９は、循環路８内の湯水６４の温度を検知することによって、浴槽６２内の湯水６４の温度（風呂温度）を検知する。温度センサ９は、たとえばサーミスタである。
【００３６】
ポンプ１６は、浴槽６２および循環路８に湯水を循環させる。ポンプ１６が作動すると、浴槽６２からの湯水６４は、戻り配管８ａ、熱交換器４ｂおよび往き配管８ｂを経由して、浴槽６２へ至る経路を循環する。これにより、浴槽６２と熱交換器４ｂとの間に湯水６４を循環させる追焚循環回路が形成される。
【００３７】
水位センサ１１は、循環路８を循環する湯水６４の水圧に基づいて、浴槽６２の湯水６４の水位を検知する。水位センサ１１は、たとえば圧力センサである。本実施の形態では、水位センサ１１は、人Ｍが浴槽６２に入ったこと（入浴したこと）を検知するための入浴センサを兼ね備えている。
【００３８】
コントローラ１２は、台所リモコン２０および浴室リモコン３０からのユーザの入力設定操作に基づき、風呂装置１００がユーザ指示に従って運転されるように、給湯器１０の動作を制御する。たとえば、コントローラ１２は、マイクロコンピュータおよびメモリを含んで構成することができる。
【００３９】
コントローラ１２は、バーナ２ａ，２ｂ、ファン３ａ，３ｂ、温度センサ９，１７、ポンプ１６、水位センサ１１、二方注湯弁１３、および電気配線１４と電気的に接続されている。電気配線１４は、図示しない電源に接続されることにより、コントローラ１２に電力を供給するように構成されている。コントローラ１２は、浴室リモコン３０および台所リモコン２０と通信可能に接続されている。
【００４０】
浴室リモコン３０は、浴室６０の壁面に設置されている。浴室リモコン３０の表示部３５は、浴槽６２の湯水６４の設定水位および設定温度を表示することができる。操作スイッチ３３は、浴槽６２の湯水６４の水位および温度に関する設定操作を受け付けることができる。
【００４１】
台所リモコン２０は、浴室６０の外部（例えば、台所の壁面）に設置されている。台所リモコン２０の表示部２５は、設定給湯温度および浴槽６２の湯水６４の設定温度などを表示することができる。操作スイッチ２３は、給湯器１０の運転に関する設定操作を受け付けることができる。
【００４２】
人検知センサ３６は、浴室６０の内部に設置されており、浴室６０内の人Ｍの存在の有無を検知するように構成されている。人検知センサ３６は、たとえば焦電型赤外線センサである。焦電型赤外線センサは、物体の動作等によって視野内に熱エネルギーの変化が生じたときに検知信号を発生する。このため、浴室６０内で人Ｍが動くと、これに応じて検知信号が発生される。人検知センサ３６は、浴室リモコン３０のケースに内蔵されて、ケースに設けられた開口部から浴室６０内を視野内に収めるように配置される。人検知センサ３６は、焦電型赤外線センサに限定されず、たとえば、電波センサおよび超音波センサであってもよい。
【００４３】
また、人検知センサ３６は、たとえば、浴室６０の天井に設置された浴室暖房機（図示せず）のケースに設けられてもよい。あるいは、人検知センサ３６は、たとえば、浴室６０の照明のスイッチのように、入室時に人Ｍが操作するスイッチであってもよい。
【００４４】
図３は、本実施の形態に係る風呂装置１００の制御構成を説明するための機能ブロック図である。図３を参照して、給湯器１０は、コントローラ１２および通信部１８を有する。コントローラ１２は、マイクロコンピュータ、メモリおよび図示しないＣＰＵ（Central  Processing  Unit）および入出力インターフェイスを内蔵する。
【００４５】
コントローラ１２は、台所リモコン２０および浴室リモコン３０へ入力されたユーザ指令に従って、給湯器１０の動作を制御する。代表的には、コントローラ１２によって、給湯器１０からの給湯温度が制御される。
【００４６】
コントローラ１２はタイマ１２８を有する。タイマ１２８は、人Ｍが浴槽６２に入っている時間（以下、「入浴時間」とも称する）を計測するためのものである。通信部１８は、通信線２１，３１を用いた通信機能を有する。
【００４７】
台所リモコン２０は、運転スイッチ２２および操作スイッチ２３と、表示部２５と、音声出力部２４と、制御部２６と、通信部２７，２８とを有する。制御部２６は、マイクロコンピュータおよびメモリを含んで構成することができる。通信部２８は、通信線２１を用いた通信機能を有する。通信部２７は、たとえば、無線ＬＡＮ（Local  Area  Network）モジュールにより構成され、ルータ４０を経由した通信経路５１によってサーバ５０にアクセスすることが可能である。
【００４８】
浴室リモコン３０は、運転スイッチ３２および操作スイッチ３３と、表示部３５と、音声出力部３４と、人検知センサ３６と、制御部３７と、通信部３８とを有する。制御部３７は、マイクロコンピュータおよびメモリを含んで構成することができる。通信部３８は、通信線３１を用いた通信機能を有する。したがって、給湯器１０、台所リモコン２０および浴室リモコン３０の各々は、通信部１８，２８，３８および通信線２１，３１を用いて、互いに双方向に通信することができる。
【００４９】
上記構成において、給湯器１０のコントローラ１２は、浴室リモコン３０に内蔵される人検知センサ３６から送信される検知信号を、通信部３８、通信線３１および通信部１８を経由して受信する。コントローラ１２は、人検知センサ３６から送信される検知信号に基づいて、浴室６０内に人Ｍが在室しているか、あるいは不在であるかを判定する。たとえば、人検知センサ３６が焦電型赤外線センサである場合には、コントローラ１２は、周囲の温度状況から熱エネルギーの変化があったときに浴室６０に人Ｍが入室したものと判定する。また、コントローラ１２は、所定時間継続して熱エネルギーの変化がない場合に浴室６０から人Ｍが退室したものと判定する。
【００５０】
コントローラ１２は、また、水位センサ１１から送信される検知信号に基づいて、人Ｍが浴槽６２に入ったか（入浴したか）、あるいは、人Ｍが浴槽６２から出たか（退浴したか）を判定する。具体的には、コントローラ１２は、水位センサ１１の検知信号から算出される単位時間当たりの浴槽６２の水位の上昇または低下の変化量が基準値を超えるか否かに基づいて、浴槽６２への人Ｍの入浴および退浴を判定する。
【００５１】
コントローラ１２は、また、温度センサ９により検知される戻り配管８ａを流れる湯水６４の温度に基づいて、浴槽６２の湯水６４の温度（風呂温度）を判定する。コントローラ１２は、これらの判定結果に基づいて、二方注湯弁１３、バーナ２ａ，２ｂ、ファン３ａ，３ｂおよびポンプ１６の動作を制御する。具体的には、浴槽６２への注湯運転時には、コントローラ１２は、水位センサ１１の検知信号により判定される浴槽６２の水位が設定水位になるように二方注湯弁１３を動作させて給湯配管６から湯水６４を浴槽６２に供給する。また、追い焚き運転時には、コントローラ１２は、温度センサ９の検知信号から判定される風呂温度が設定温度になるようにバーナ２ｂ、ファン３ｂおよびポンプ１６を動作させて湯水６４を加熱する。コントローラ１２は、湯水６４の温度が設定温度に達した後、バーナ２ａ、ファン３ａおよびポンプ１６を停止させる。
【００５２】
コントローラ１２は、タイマ１２８を用いて、人Ｍが浴槽６２に入っている時間（入浴時間）を計測する。具体的には、コントローラ１２は、人検知センサ３６に基づいて人Ｍの入室が判定された後、水位センサ１１に基づいて人Ｍの入浴が判定された場合、タイマ１２８の計測を開始させる。コントローラ１２は、タイマ１２８の計測中において、水位センサ１１に基づいて人Ｍの退浴が判定された時には、タイマ１２８の計測を中断する。このとき、コントローラ１２は、タイマ１２８の計測を中断するとともに、中断時点でのタイマ１２８の計測値を保持する。さらに、コントローラ１２は、タイマ１２８の計測を中断した後、人検知センサ３６に基づいて人Ｍの退室が判定されると、タイマ１２８の計測を終了するとともに、中断時点でのタイマ１２８の計測値を保持する。一方、タイマ１２８の計測を中断した後、水位センサ１１に基づいて人Ｍの入浴が判定されると、コントローラ１２は、中断時点での計測値からタイマ１２８の計測を再開する。
【００５３】
コントローラ１２は、タイマ１２８により計測された入浴時間を示す情報（以下、「入浴時間情報」とも称す）を、通信部１８から通信線２１および通信部２８を経由して、台所リモコン２０の制御部２６に向けて送信する。台所リモコン２０の制御部２６は、コントローラ１２から受信した入浴時間情報を、通信部２７からルータ４０を経由してサーバ５０にアップロードすることができる。
【００５４】
台所リモコン２０において、制御部２６は、コントローラ１２から受信した入浴時間を、予め設定された第１の基準時間と比較し、入浴時間が第１の基準時間を超過しているか否かを判定する。なお、「第１の基準時間」は、風呂装置１００の出荷時においてデフォルト値が設定されていてもよい。風呂装置１００のユーザは、台所リモコン２０および浴室リモコン３０を用いて、第１の基準時間をデフォルト値から任意の時間に設定変更することができる。
【００５５】
なお、図３の例では、コントローラ１２に内蔵されるタイマ１２８を用いて入浴時間を計測しているが、浴室リモコン３０または台所リモコン２０に内蔵されるタイマ（図示せず）を用いて入浴時間を計測する構成としてもよい。
【００５６】
また、図３の例では、台所リモコン２０の制御部２６が入浴時間の超過を判定する構成となっているが、給湯器１０のコントローラ１２または浴室リモコン３０の制御部３７が入浴時間の超過を判定してもよい。
【００５７】
携帯端末４１Ａは、タッチパネル４４Ａと、音声出力部４３Ａと、制御部４６Ａと、通信部４７Ａとを有する。携帯端末４１Ｂは、タッチパネル４４Ｂと、音声出力部４３Ｂと、制御部４６Ｂと、通信部４７Ｂとを有する。制御部４６Ａ，４６Ｂは、マイクロコンピュータおよびメモリを含んで構成することができる。通信部４７Ａ，４７Ｂは、たとえば、無線ＷＡＮ（Wide  Area  Network）モジュールまたは無線ＬＡＮ（Local  Area  Network）モジュールにより構成される。
【００５８】
携帯端末４１Ａは、サーバ５０へのアクセス機能を有する。したがって、携帯端末４１Ａは、通信経路５２Ａ、基地局５３、ネットワーク４５、サーバ５０、ルータ４０および通信経路５１および通信部２７を用いて、台所リモコン２０と双方向に通信することができる。たとえば、携帯端末４１Ａは、サーバ５０にアクセスすることによって、サーバ５０に蓄積されている入浴時間情報を取得することができる。
【００５９】
携帯端末４１Ｂは、ルータ４０を経由した通信経路５２Ｂ，５１および通信部２７を用いて、台所リモコン２０と双方向に通信することができる。したがって、携帯端末４１Ｂは、台所リモコン２０から入浴時間情報を取得することができる。携帯端末４１Ａ，４１Ｂは、取得した情報を画面に表示させることができる。携帯端末４１Ｂは、通信経路５２Ｂ、ルータ４０、ネットワーク４５を用いて、サーバ５０と双方向に通信することができる。携帯端末４１Ｂは、サーバ５０にアクセスすることによって、サーバ５０に蓄積されている入浴時間情報を取得することができる。
【００６０】
携帯端末４１Ａ，４１Ｂは、さらに、操作指令を受け付けることができる。この操作指令には、後述するように、浴室６０内の人Ｍの安否を確認するための安否確認指令が含まれる。これによると、携帯端末４１Ａ，４１Ｂのユーザは外出先などの宅外から、浴室６０内の人Ｍの安否を確認することができる。
【００６１】
携帯端末４１Ａへ入力されたユーザ指令は、サーバ５０にアップロードされる。台所リモコン２０は、サーバ５０からユーザ指令をダウンロードすると、そのユーザ指令を浴室リモコン３０に転送することができる。
【００６２】
携帯端末４１Ｂへ入力されたユーザ指令は、ルータ４０を経由して台所リモコン２０に伝送される。台所リモコン２０は、受信したユーザ指令を浴室リモコン３０にも転送することができる。
【００６３】
以上説明したように、本実施の形態に係る風呂装置１００は、給湯器１０（コントローラ１２）、台所リモコン２０、浴室リモコン３０および携帯端末４１Ａ，４１Ｂの間で双方向に通信可能に構成されている。そこで、本実施の形態では、この通信機能を利用して、浴室６０内の人Ｍの入浴時間が第１の基準時間を超過した場合において、人Ｍの安否を確認する安否確認機能を実現する。
【００６４】
以下、図４から図９を用いて、本実施の形態に係る風呂装置１００が実現する安否確認機能について説明する。本実施の形態において、安否確認機能とは、浴室６０外に居るユーザが浴室６０内の人Ｍの安否を確認する機能であって、台所リモコン２０または携帯端末４１Ａ，４１Ｂを用いて実現することができる。実施の形態１では、安否確認機能の第１の実施態様として、台所リモコン２０を用いて浴室６０内の人Ｍの安否を確認する構成について説明する。
【００６５】
図４は、台所リモコン２０がユーザの安否確認要求を受け付けた場合における安否確認機能を説明するためのシーケンス図である。図４を参照して、給湯器１０のコントローラ１２は、浴室６０への人Ｍの入室が判定され、かつ、人Ｍの入浴が判定されると、タイマ１２８により入浴時間を計測する（Ｐ０１）。タイマ１２８により計測された入浴時間（入浴時間情報）は、浴室リモコン３０および台所リモコン２０へ送信される（Ｐ０２）。
【００６６】
台所リモコン２０（制御部２６）は、受信した入浴時間を第１の基準時間と比較して、入浴時間が第１の基準時間を超過しているか否かを判定する（Ｐ０３）。入浴時間が第１の基準時間を超過している場合、台所リモコン２０は、安否確認機能が有効であるか無効であるかを判定する（Ｐ０４）。
【００６７】
ユーザは、台所リモコン２０、浴室リモコン３０または携帯端末４１Ａ，４１Ｂを操作することにより、安否確認機能の有効／無効を設定することができる。安否確認機能が有効に設定されている場合、台所リモコン２０は、安否確認を要求するユーザ操作を受け付け可能な状態となる。一方、安否確認機能が無効に設定されている場合、台所リモコン２０は、安否確認を要求するユーザ操作を受け付け不能な状態となる。
【００６８】
なお、浴室リモコン３０で安否確認機能が無効に設定された場合には、台所リモコン２０の安否確認機能が自動的に無効に設定される。したがって、浴室６０内の人Ｍが浴室リモコン３０にて安否確認機能を無効に設定する操作を行なった場合には、入浴時間が第１の基準時間を超過しても、台所リモコン２０において安否確認は実行されない。
【００６９】
安否確認機能が有効である場合、台所リモコン２０は、ユーザに対して、安否確認の要否を問い合わせる（Ｐ０５）。例えば、台所リモコン２０は、ユーザに安否確認の要否を選択させるための操作画面を表示部２５に表示させる。図５に台所リモコン２０の表示画面の一例を示す。図５の例では、操作画面には、入浴時間が第１の基準時間を超過したことを示すメッセージと、安否確認の要否を問い合わせるメッセージとが表示されている。
【００７０】
図５の例では、ユーザは、台所リモコン２０の操作スイッチ２３Ａを操作することで安否確認を要求することができ、操作スイッチ２３Ｂを操作することで安否確認を要求しないことができる。なお、表示部２５にタッチパネルが用いられる場合には、操作スイッチ２３Ａ，２３Ｂを、タッチパネル上にソフトウェア処理によって表示されるソフトウェアスイッチとすることが可能である。
【００７１】
このようにユーザに安否確認の要否を問い合わせることで、例えば、浴室６０内に人が不在であるにもかかわらず、誤って入浴時間が計測された場合や、浴室６０内の人Ｍが無事であることが明らかである場合など、安否確認の必要がないと判断される場合には、安否確認を行なわないようにすることができる。
【００７２】
なお、安否確認の要否の問合せには、図５に示す画面表示とともに、音声出力部２４からの音声出力を用いることができる。例えば、音声出力部２４は、警告音を発するとともに、上記メッセージを音声で読み上げることができる。また、図５の画面表示とともに、あるいは図５の画面表示に代えて、台所リモコン２０に設置されたランプを点灯させるなど他の視覚に訴える手段を用いてもよい。これによると、安否確認が必要とされている状況であることを迅速にユーザに気付かせることができる。また、ユーザによる安否確認の要否の選択は、上述した操作に代えて、台所リモコン２０に設けられた音声入力部を用いて音声応答により行なってもよい。
【００７３】
図４に戻って、台所リモコン２０は、安否確認を要求するユーザ操作を受け付けると（Ｐ０６）、人Ｍの安否を確認するための安否確認指令を生成し、生成した安否確認指令を浴室リモコン３０へ送信する（Ｐ０７）。
【００７４】
浴室リモコン３０は、安否確認指令を受信すると、人Ｍに対して安否情報の応答を促す報知を行なう（Ｐ０８）。例えば、浴室リモコン３０は、安否応答を促すための操作画面を表示部３５に表示させる。図６に浴室リモコン３０の表示画面の一例を示す。図６の例では、操作画面には、ユーザから安否確認が要求されていることを示すメッセージと、安否確認に応答するか否かを問い合わせるメッセージとが表示されている。
【００７５】
図６の例では、人Ｍは、浴室リモコン３０の操作スイッチ３３Ｂを操作することで、安否確認に応答することができる。なお当該安否確認の応答は、操作スイッチ３３に限定されず、たとえば運転スイッチ３２を用いてもよい。また、表示部３５にタッチパネルが用いられる場合には、操作スイッチ３３Ｂをソフトウェアスイッチとすることが可能である。
【００７６】
なお、安否応答の問合せには、図６に示す画面表示とともに、音声出力部３４からの音声出力を用いることができる。例えば、音声出力部３４は、警告音を発するとともに、上記メッセージを音声で読み上げることができる。また、図６の画面表示とともに、あるいは図６の画面表示に代えて、浴室リモコン３０に設置されたランプを点灯させるなど他の視覚に訴える手段を用いてもよい。安否応答が必要とされている状況であることを迅速に人Ｍに気付かせることができる。また、人Ｍによる安否応答は、上述した操作に代えて、浴室リモコン３０に設けられた音声入力部を用いて音声応答により行なってもよい。
【００７７】
このように浴室リモコン３０を操作して安否確認に応答することで、人Ｍは自身が無事であることを浴室６０外のユーザに対して知らせることができる。あるいは、安否確認に対する応答が無いことで、人Ｍの体調に何等かの異変が生じているために応答不能な状況であることを浴室６０外のユーザに対して知らせることができる。
【００７８】
なお、図６の例では、安否確認要求があり、人Ｍの安否情報の応答を促す報知を行なう構成としたが、図６の操作画面を、現在の状況を入力するための操作や救助を求めるための操作などを受け付けるように構成してもよい。
【００７９】
安否確認指令を送信した後（Ｐ０７）、台所リモコン２０では、図７に示すように、安否確認の実行中であることを示すメッセージが表示部２５に表示される。このメッセージは、台所リモコン２０が人Ｍの安否応答を受信するまでの時間、または安否確認指令を送信してから第２の基準時間が経過するまでの時間、表示される。これによると、ユーザは、安否確認の要求が浴室６０内の人Ｍに正常に届いており、人Ｍからの安否応答待ちの状況であることを知ることができる。
【００８０】
なお、ユーザは、安否応答待ちの状況において、安否確認を中断することができる。図７の例では、ユーザは、台所リモコン２０の操作スイッチ２３Ａを操作することで、安否確認を中断することができる。なお、表示部２５にタッチパネルが用いられる場合には、操作スイッチ２３Ａをソフトスイッチとすることが可能である。
【００８１】
これによると、浴室６０内に人が不在であるにもかかわらず、誤って入浴時間が計測された場合など、安否確認の要求の誤りにユーザが気付いたときに、安否確認を中断することができる。あるいは、安否応答待ちの間に人Ｍの無事が確認できたときに、安否確認を中断することができる。
【００８２】
図４に戻って、浴室リモコン３０は、人Ｍによる安否応答を受け付けると（Ｐ０９）、安否応答を台所リモコン２０に送信する（Ｐ１０）。台所リモコン２０は、浴室リモコン３０から安否応答を受信すると、受信した安否応答に基づいた安否情報を報知する（Ｐ１１）。図８に台所リモコン２０の表示画面の一例を示す。図８の例では、台所リモコン２０の表示部２５には、安否応答が確認できたことを示すメッセージと、安否確認を終了するか否かを問い合わせるメッセージとが表示されている。
【００８３】
図８の例では、ユーザは、台所リモコン２０の操作スイッチ２３Ａを操作することで、安否確認を終了することができる。なお、表示部２５にタッチパネルが用いられる場合には、操作スイッチ２３Ａをソフトウェアスイッチとすることが可能である。なお、安否情報の報知には、図８に示す画面表示とともに、音声出力部２４からの音声出力を用いることができる。
【００８４】
ここで、浴室リモコン３０からの安否応答を受信できない場合、すなわち人Ｍからの安否応答が無い場合には、台所リモコン２０は、安否情報として、安否応答が無い旨を報知する。具体的には、台所リモコン２０は、安否確認指令を送信した時点（Ｐ０７）から第２の基準時間内に安否応答を受信できない場合、安否応答が無い旨を報知する。図９に台所リモコン２０の表示画面の一例を示す。図９の例では、台所リモコン２０の表示部２５には、安否応答が確認できなかったことを示すメッセージと、安否確認を終了するか否かを問い合わせるメッセージとが表示されている。
【００８５】
図９の例では、ユーザは、台所リモコン２０の操作スイッチ２３Ａを操作することで、安否確認を終了することができる。なお、表示部２５にタッチパネルが用いられる場合には、操作スイッチ２３Ａをソフトウェアスイッチとすることが可能である。
【００８６】
なお、台所リモコン２０における安否確認機能の有効／無効は、浴室リモコン３０においても設定することができる。図１０は、安否確認機能の設定を説明するためのシーケンス図である。
【００８７】
図１０を参照して、給湯器１０のコントローラ１２は、浴室６０への人Ｍの入室が判定され、かつ、人Ｍの入浴が判定されると、タイマ１２８により入浴時間を計測する（Ｐ０１）。タイマ１２８により計測された入浴時間（入浴時間情報）は、浴室リモコン３０および台所リモコン２０へ送信される（Ｐ０２）。
【００８８】
台所リモコン２０（制御部２６）は、受信した入浴時間を第１の基準時間と比較して、入浴時間が第１の基準時間を超過しているか否かを判定する（Ｐ０３）。
【００８９】
このとき、浴室６０内の浴室リモコン３０において安否確認機能が無効に設定されたものとする（Ｐ２１）。例えば、人Ｍが安否確認を必要としないために、浴室リモコン３０に対して安否確認機能を無効にする操作を行なった場合が想定される。
【００９０】
浴室リモコン３０にて安否確認機能が無効に設定されたという情報は、台所リモコン２０にも伝送される（Ｐ２２）。台所リモコン２０は、この情報を受信すると、安否確認機能を自動的に無効に設定するとともに（Ｐ２３）、安否確認機能が無効に設定された旨を報知する（Ｐ２４）。これによると、入浴時間が第１の基準時間を超過した場合であっても、台所リモコン２０では、安否確認の要求の問合せが行なわれない。したがって、台所リモコン２０の表示部２５には、ユーザに安否確認の要否を選択させるための操作画面（図５参照）が表示されず、ユーザの安否確認の要求を受け付け不能な状態となる。
【００９１】
次に、実施の形態１に係る安否確認機能を実現するための風呂装置１００の動作について説明する。
【００９２】
図１１は、台所リモコン２０にて実行される安否確認機能に関連する動作を説明するためのフローチャートである。図１１のフローチャートは、台所リモコン２０の制御部２６において所定のタイミングで実行される。
【００９３】
図１１を参照して、制御部２６は、ステップ（以下、ステップをＳと略す）０１にて、給湯器１０のコントローラ１２から、タイマ１２８により計測された入浴時間情報を受信する。制御部２６は、Ｓ０２にて、入浴時間と第１の基準時間とを比較し、入浴時間が第１の基準時間を超過しているか否かを判定する。入浴時間が第１の基準時間以下である場合（Ｓ０２のＮＯ判定時）、制御部２６は処理を終了する。
【００９４】
入浴時間が第１の基準時間を超過している場合（Ｓ０２のＹＥＳ判定時）には、制御部２６は、Ｓ０３にて、安否確認機能が有効に設定されているか否かを判定する。安否確認機能が無効に設定されていれば（Ｓ０３のＮＯ判定時）、制御部２６は処理を終了する。
【００９５】
一方、安否確認機能が有効に設定されている場合（Ｓ０３のＹＥＳ判定時）には、制御部２６は、Ｓ０４に進み、ユーザに対して、入浴時間の超過を報知するとともに、安否確認の要求を問い合わせる。例えば、制御部２６は、台所リモコン２０の表示部２５に、安否確認の要否を選択させるための操作画面（図５参照）を表示させる。
【００９６】
制御部２６は、Ｓ０５にて、ユーザが安否確認を要求したか否かを判定する。例えば、制御部２６は、図５の操作画面に対するユーザ操作に基づいて、安否確認の要求の有無を判定する。ユーザが安否確認を要求しなければ（Ｓ０５のＮＯ判定時）、制御部２６は処理を終了する。
【００９７】
一方、ユーザが安否確認を要求していれば（Ｓ０５のＹＥＳ判定時）、制御部２６は、Ｓ０６にて、浴室リモコン３０に対して安否確認指令を送信する。安否確認指令の送信後、制御部２６は、浴室リモコン３０からの安否応答待ちの状態となる。制御部２６は、Ｓ０７にて、安否確認を中断するための操作がなされたか否かを判定する。安否確認を中断する操作がなされた場合（Ｓ０７のＹＥＳ判定時）は、制御部２６は処理を終了する。
【００９８】
一方、安否確認を中断する操作がなされていなければ（Ｓ０７のＮＯ判定時）、制御部２６は、Ｓ０８に進み、浴室リモコン３０から安否応答を受信したか否かを判定する。安否応答が受信されていれば（Ｓ０８のＹＥＳ判定時）、制御部２６は、Ｓ１０にて、安否応答に基づく安否情報をユーザに対して報知する。例えば、制御部２６は、台所リモコン２０の表示部２５に、安否応答が確認できたことを報知する画面（図８参照）を表示させる。
【００９９】
これに対して、浴室リモコン３０からの安否応答が受信されない場合（Ｓ０８のＮＯ判定時）、制御部２６は、Ｓ０９にて、Ｓ０６にて安否確認指令を送信してからの経過時間（以下、安否確認時間とも称する）が第２の基準時間を超過したか否かを判定する。安否確認時間が第２の基準時間以下である場合（Ｓ０９のＮＯ判定時）、制御部２６は処理をＳ０７に戻す。
【０１００】
一方、安否確認時間が第２の基準時間を超過している場合（Ｓ０９のＹＥＳ判定時）には、制御部２６は、Ｓ１０にて、安否情報として、安否応答が無いことを報知する。例えば、制御部２６は、台所リモコン２０の表示部２５に、安否応答が確認できなかったことを報知する画面（図９参照）を表示させる。
【０１０１】
制御部２６は、安否情報を報知すると（Ｓ１０）、Ｓ１１にて、安否確認を終了するためのユーザ操作を受け付けたか否かを判定する。安否確認を終了するための操作を受け付けていない場合（Ｓ１１のＮＯ判定時）、制御部２６は処理をＳ１０に戻す。一方、安否確認を終了するための操作を受け付けると（Ｓ１１のＹＥＳ判定時）、制御部２６は、Ｓ１２にて、安否確認を終了する。
【０１０２】
図１２は、浴室リモコン３０にて実行される安否確認機能に関連する動作を説明するためのフローチャートである。図１２のフローチャートは、浴室リモコン３０の制御部３７において実行される。
【０１０３】
図１２を参照して、制御部３７は、Ｓ２１にて、台所リモコン２０からの安否確認指令を受信したか否かを判定する。安否確認指令を受信していなければ（Ｓ２１のＮＯ判定時）、制御部３７は処理を終了する。
【０１０４】
一方、安否確認指令を受信した場合（Ｓ２１のＹＥＳ判定時）には、制御部３７は、Ｓ２２に進み、浴室６０内の人Ｍに対して安否情報の応答を促す報知を行なう。例えば、制御部３７は、浴室リモコン３０の表示部３５に、安否情報に応答させるための操作画面（図６参照）を表示させる。
【０１０５】
制御部３７は、Ｓ２３にて、人Ｍによる安否応答を受け付けたか否かを判定する。安否応答を受け付けると（Ｓ２３のＹＥＳ判定時）、制御部３７は、Ｓ２４に進み、安否応答を台所リモコン２０へ送信する。
【０１０６】
一方、安否応答が受信されない場合（Ｓ２３のＮＯ判定時）、制御部３７は、Ｓ２５にて、安否応答の受付時間が第２の基準時間を経過したか否かを判定する。安否応答の受付時間が第２の基準時間以下である場合（Ｓ２５のＮＯ判定時）、制御部３７は処理をＳ２２に戻す。一方、安否応答の受付時間が第２の基準時間を超過した場合（Ｓ２５のＹＥＳ判定時）には、制御部３７は処理を終了する。
【０１０７】
以上説明したように、本実施の形態に係る風呂装置１００が実現する安否確認機能の第１の実施態様によれば、浴室６０内の人Ｍの入浴時間が第１の基準時間を超過した場合には、浴室６０外のユーザは、台所リモコン２０を用いて人Ｍの安否を確認することができる。第１の実施態様によれば、入浴時間の超過を報知するように構成された従来技術と比較して、人Ｍによる浴室リモコン３０の操作に基づいて人Ｍの安否を確認することができるため、ユーザは、浴室６０に出向かなくても、人Ｍの安否を簡便かつ適切に確認することができる。
【０１０８】
［実施の形態２］
実施の形態２では、本実施の形態に係る風呂装置１００が実現する安否確認機能の第２の実施態様として、携帯端末４１Ａまたは４１Ｂを用いて浴室６０内の人Ｍの安否を確認する構成について説明する。以下の説明では、宅外のユーザが携帯端末４１Ａを用いて人Ｍの安否を確認する場合を想定するが、宅内のユーザが携帯端末４１Ｂを用いて人Ｍの安否を確認する場合も同様の処理が可能である。
【０１０９】
第２の実施態様では、携帯端末４１Ａを用いて安否を確認するときには、浴室リモコン３０に加えて、台所リモコン２０からも安否応答を行なうことが可能に構成される。これによると、後述するように、宅内で浴室６０外に居る別のユーザも、台所リモコン２０を用いて人Ｍの安否応答を行なうことが可能となる。したがって、宅外のユーザにとっても迅速な安否確認が可能となる。
【０１１０】
図１３は、携帯端末４１Ａがユーザの安否確認要求を受け付けた場合における安否確認機能を説明するためのシーケンス図である。なお、図１３のシーケンス図において、図４のシーケンス図と共通する処理には同一の符号が付されている。
【０１１１】
図１３を参照して、給湯器１０のコントローラ１２は、浴室６０への人Ｍの入室が判定され、かつ、人Ｍの入浴が判定されると、タイマ１２８により入浴時間を計測する（Ｐ０１）。タイマ１２８により計測された入浴時間（入浴時間情報）は、浴室リモコン３０、台所リモコン２０に送信されるとともに、サーバ５０を経由して携帯端末４１Ａへ送信される（Ｐ０２）。
【０１１２】
携帯端末４１Ａ（制御部４６Ａ）は、受信した入浴時間を第１の基準時間と比較して、入浴時間が第１の基準時間を超過しているか否かを判定する（Ｐ４３）。携帯端末４１Ａのユーザは、第１の基準時間をデフォルト値から任意の時間に設定変更することができる。入浴時間が第１の基準時間を超過している場合、携帯端末４１Ａは、安否確認機能が有効であるか無効であるかを判定する（Ｐ４４）。
【０１１３】
安否確認機能が有効である場合、携帯端末４１Ａは、ユーザに対して、安否確認の要否を問い合わせる（Ｐ４５）。例えば、携帯端末４１Ａは、ユーザに安否確認の要否を選択させるための操作画面をタッチパネル４４Ａに表示させる。図１４（ａ）に携帯端末４１Ａの表示画面の一例を示す。図１４（ａ）の例では、操作画面には、入浴時間が第１の基準時間を超過したことを示すメッセージと、安否確認の要否を問い合わせるメッセージとが表示されている。
【０１１４】
図１４（ａ）の例では、ユーザは、「はい」と表示された操作ボタン（ソフトウェアスイッチ）をタッチ操作することで安否確認を要求することができ、「いいえ」と表示された操作ボタンをタッチ操作することで安否確認を要求しないことができる。なお、安否確認の要否の問合せには、図１４（ａ）に示す画面表示とともに、音声出力部４３Ａからの音声出力を用いることができる。また、ユーザによる安否確認の要否の選択は、上述した操作に代えて、携帯端末４１Ａに設けられた音声入力部を用いて音声応答により行なってもよい。
【０１１５】
なお、携帯端末４１Ａにおける入浴時間超過の判定（Ｐ４３）および安否確認要求の問合せ（Ｐ４５）は、台所リモコン２０における入浴時間超過の判定（Ｐ０３）および安否確認要求の問合せ（Ｐ０５）と並行して行なわれる。これにより、宅内および宅外の複数のユーザに対して、入浴時間が超過しており、人Ｍの安否確認が必要とされている状況であることを広く知らせることができる。
【０１１６】
図１３に戻って、携帯端末４１Ａは、安否確認を要求するユーザ操作を受け付けると（Ｐ４６）、安否確認指令を生成し、生成した安否確認指令をサーバ５０を経由して台所リモコン２０および浴室リモコン３０へ送信する（Ｐ４７）。
【０１１７】
浴室リモコン３０は、安否確認指令を受信すると、人Ｍに対して安否情報の応答を促す報知を行なう（Ｐ０８）。これに並行して、台所リモコン２０は、安否確認指令を受信すると、宅内のユーザに対して安否情報の応答を促す報知を行なう（Ｐ０８Ａ）。例えば、台所リモコン２０および浴室リモコン３０は、安否応答を促すための操作画面（図６参照）を、それぞれ対応する表示部２５，３５に表示させる。なお、安否情報の応答の問合せには、図６に示す画面表示とともに、対応する音声出力部２４，３４からの音声出力を用いることができる。
【０１１８】
台所リモコン２０または浴室リモコン３０において安否確認に応答することで、浴室２０内の人Ｍが無事であることを携帯端末４１Ａのユーザに対して知らせることができる。あるいは、安否確認に対する応答が無いことで、人Ｍの体調に何等かの異変が生じているために応答不能な状況であることを携帯端末４１Ａのユーザに対して知らせることができる。
【０１１９】
安否確認指令を送信した後（Ｐ４７）、携帯端末４１Ａでは、図１４（ｂ）に示すように、安否確認の実行中であることを示すメッセージがタッチパネル４４Ａに表示される。このメッセージは、携帯端末４１Ａが安否応答を受信するまでの時間、または安否確認指令を送信してから第２の基準時間が経過するまでの時間、表示される。これによると、ユーザは、安否確認の要求が浴室６０内の人Ｍに正常に届いており、人Ｍからの安否応答待ちの状況であることを知ることができる。
【０１２０】
なお、携帯端末４１Ａのユーザは、安否応答待ちの状況において、安否確認を中断させることができる。図１４（ｂ）の例では、ユーザは、「中断する」と表示された操作ボタンをタッチ操作することで、安否確認を中断させることができる。これによると、安否確認の要求の誤りにユーザが気付いたときに、安否確認を中断することができる。あるいは、安否応答待ちの間に人Ｍの無事が確認できたときに、安否確認を中断することができる。
【０１２１】
図１３に戻って、浴室リモコン３０は、人Ｍによる安否応答を受け付けると（Ｐ０９）、安否応答を台所リモコン２０および携帯端末４１Ａに送信する（Ｐ５０）。台所リモコン２０は、浴室リモコン３０から安否応答を受信すると、受信した安否応答に基づいた安否情報を報知する（Ｐ１１）。携帯端末４１Ａも同様に、安否応答を受信すると、受信した安否応答に基づいた安否情報を報知する（Ｐ５１）。図１４（ｃ）に携帯端末４１Ａの表示画面の一例を示す。図１４（ｃ）の例では、携帯端末４１Ａのタッチパネル４４Ａには、安否応答が確認できたことを示すメッセージと、安否確認を終了するか否かを問い合わせるメッセージとが表示されている。ユーザは、「終了する」と表示された操作ボタン（ソフトウェアスイッチ）をタッチ操作することで、安否確認を終了することができる。安否情報の報知には、図１４（ｃ）に示す画面表示とともに、音声出力部４３Ａからの音声出力を用いることができる。
【０１２２】
これに対して、浴室リモコン３０および台所リモコン２０のいずれからも安否応答を受信できない場合、すなわち人Ｍからの安否応答が無い場合には、携帯端末４１Ａは、安否情報として、安否応答が無い旨を報知する。具体的には、携帯端末４１Ａは、安否確認指令を送信した時点（Ｐ４７）から第２の基準時間内に安否応答を受信できない場合、安否応答が無い旨を報知する。図１４（ｄ）に携帯端末４１Ａの表示画面の一例を示す。図１４（ｄ）の例では、携帯端末４１Ａのタッチパネル４４Ａには、安否応答が確認できなかったことを示すメッセージと、安否確認を終了するか否かを問い合わせるメッセージとが表示されている。ユーザは、「終了する」と表示された操作ボタンをタッチ操作することで、安否確認を終了することができる。
【０１２３】
なお、台所リモコン２０および携帯端末４１Ａ，４１Ｂにおける安否確認機能の有効／無効は、浴室リモコン３０、台所リモコン２０および携帯端末４１Ａ，４１Ｂの各々で設定することができる。図１５は、携帯端末４１Ａによる安否確認機能の設定を説明するためのシーケンス図である。
【０１２４】
図１５を参照して、給湯器１０のコントローラ１２は、浴室６０への人Ｍの入室が判定され、かつ、人Ｍの入浴が判定されると、タイマ１２８により入浴時間を計測する（Ｐ０１）。タイマ１２８により計測された入浴時間（入浴時間情報）は、浴室リモコン３０および台所リモコン２０へ送信される（Ｐ０２）。
【０１２５】
台所リモコン２０（制御部２６）は、受信した入浴時間を第１の基準時間と比較して、入浴時間が第１の基準時間を超過しているか否かを判定する（Ｐ０３）。携帯端末４１Ａ（制御部４６Ａ）も同様に、入浴時間と第１の基準時間とを比較して、入浴時間が第１の基準時間を超過しているか否かを判定する（Ｐ４３）。
【０１２６】
このとき、携帯端末４１Ａにおいて、安否確認機能が無効に設定されたものとする（Ｐ２１Ａ）。例えば、安否確認の対象となる人が宅内に不在であって安否確認を必要としないために、宅外のユーザが携帯端末４１Ａに対して安否確認機能を無効にする操作を行なった場合が想定される。なお、安否確認機能の無効は、入浴前などに予め設定するなど、任意のタイミングで設定することができる。
【０１２７】
携帯端末４１Ａにて安否確認機能が無効に設定されたという情報は、台所リモコン２０および浴室リモコン３０に伝送される（Ｐ２２Ａ）。台所リモコン２０は、この情報を受信すると、安否確認機能を自動的に無効に設定するとともに（Ｐ２３）、安否確認機能が無効に設定された旨を報知する（Ｐ２４）。浴室リモコン３０は、安否確認機能が無効に設定された旨を報知する（Ｐ２４Ａ）。これによると、入浴時間が第１の基準時間を超過した場合であっても、携帯端末４１Ａおよび台所リモコン２０では、安否確認の要求の問合せが行なわれないため、ユーザの安否確認の要求を受け付け不能な状態となる。
【０１２８】
なお、実施の形態２に係る安否確認機能において、携帯端末４１Ａにて実行される安否確認機能に関連する動作は、図１１に示したフローチャートを援用して説明することができる。また、携帯端末４１Ａにて安否確認が実行された場合の台所リモコン２０にて実行される安否確認機能に関連する動作は、図１２に示したフローチャートを援用して説明することができる。
【０１２９】
以上説明したように、本実施の形態に係る風呂装置１００が実現する安否確認機能の第２の実施態様によれば、浴室６０内の人Ｍの入浴時間が第１の基準時間を超過した場合には、浴室６０外のユーザは、携帯端末４１Ａ，４１Ｂを用いて人Ｍの安否を確認することができる。第２の実施の態様によれば、入浴時間の超過を報知するように構成された従来技術と比較して、人Ｍによる浴室リモコン３０の操作に基づいて人Ｍの安否を確認することができるため、ユーザは、浴室６０に出向かなくても、人Ｍの安否を簡便かつ適切に確認することができる。
【０１３０】
第２の実施態様では、さらに、別のユーザによる台所リモコン２０の操作に基づいても人Ｍの安否を確認することができるため、携帯端末４１Ａ，４１Ｂのユーザは人Ｍの安否を迅速に確認することができる。
【０１３１】
ここで、第２の実施態様によれば、本実施の形態に係る風呂装置１００を、例えば、一人暮らしをする高齢者の安否確認を、高齢者と別居する近親者が日常的に行なうためにも活用することができる。具体的には、近親者が自身の携帯端末４１Ａに対して安否確認を要求するための操作を行なうと、高齢者が居住する宅内に設置されている台所リモコン２０および浴室リモコン３０から高齢者に対して安否応答を促す報知が行なわれる。高齢者は、台所リモコン２０または浴室リモコン３０を用いて安否情報を応答することで、自身が無事であることを近親者に知らせることができる。あるいは、安否情報の応答が無い場合には、近親者は、高齢者に異変が生じている可能性があると判断して、高齢者の異変に対処することができる。
【０１３２】
［実施の形態３］
実施の形態３では、本実施の形態に係る風呂装置１００が実現する安否確認機能の第３の実施態様として、携帯端末４１Ａを用いて浴室６０内の人Ｍの安否を確認する構成について説明する。第３の実施態様は、上述した第２の実施態様と比較して、宅内のユーザが携帯端末４１Ｂを用いて人Ｍの安否応答を行なうことができる点が異なる。これによると、宅内で浴室６０外に居る別のユーザは、台所リモコン２０および携帯端末４１Ｂのいずれかを用いて、人Ｍの安否応答を行なうことが可能となる。したがって、宅内のユーザにとって利便性が高められるとともに、迅速な安否確認が可能となる。
【０１３３】
図１６は、携帯端末４１Ａがユーザの安否確認要求を受け付けた場合における安否確認機能を説明するためのシーケンス図である。なお、図１６のシーケンス図において、図４および図１３のシーケンス図と共通する処理には同一の符号が付されている。
【０１３４】
図１６を参照して、給湯器１０のコントローラ１２は、浴室６０への人Ｍの入室が判定され、かつ、人Ｍの入浴が判定されると、タイマ１２８により入浴時間を計測する（Ｐ０１）。タイマ１２８により計測された入浴時間（入浴時間情報）は、浴室リモコン３０、台所リモコン２０に送信される。入浴時間情報は、さらに、ルータ４０を経由して携帯端末４１Ｂへ送信されるとともに、サーバ５０を経由して携帯端末４１Ａへ送信される（Ｐ０２）。
【０１３５】
携帯端末４１Ａ（制御部４６Ａ）および携帯端末４１Ｂ（制御部４６Ｂ）の各々は、受信した入浴時間を第１の基準時間と比較して、入浴時間が第１の基準時間を超過しているか否かを判定する（Ｐ４３，Ｐ４３Ａ）。入浴時間が第１の基準時間を超過している場合、携帯端末４１Ａ，４１Ｂは、安否確認機能が有効であるか無効であるかを判定する（Ｐ４４，Ｐ４４Ａ）。
【０１３６】
安否確認機能が有効である場合、携帯端末４１Ａ，４１Ｂは、ユーザに対して、安否確認の要否を問い合わせる（Ｐ４５，Ｐ４５Ａ）。例えば、携帯端末４１Ａ，４１Ｂは、ユーザに安否確認の要否を選択させるための操作画面（図１４（ａ）参照）を対応するタッチパネル４４Ａ，４４Ｂにそれぞれ表示させる。
【０１３７】
なお、携帯端末４１Ａ，４１Ｂにおける入浴時間超過の判定（Ｐ４３，Ｐ４３Ａ）および安否確認要求の問合せ（Ｐ４５，Ｐ４５Ａ）は、台所リモコン２０における入浴時間超過の判定（Ｐ０３）および安否確認要求の問合せ（Ｐ０５）と並行して行なわれる。これにより、宅内および宅外の複数のユーザに対して、入浴時間が超過しており、人Ｍの安否確認が必要とされている状況であることを広く知らせることができる。
【０１３８】
図１６に戻って、携帯端末４１Ａは、安否確認を要求するユーザ操作を受け付けると（Ｐ４６）、安否確認指令を生成し、生成した安否確認指令をサーバ５０を経由して台所リモコン２０および浴室リモコン３０へ送信する（Ｐ４７）。安否確認指令はさらに、ルータ４０を経由して携帯端末４１Ｂへ送信される。
【０１３９】
浴室リモコン３０は、安否確認指令を受信すると、人Ｍに対して安否情報の応答を促す報知を行なう（Ｐ０８）。これに並行して、台所リモコン２０および携帯端末４１Ｂは、安否確認指令を受信すると、宅内のユーザに対して安否情報の応答を促す報知を行なう（Ｐ０８Ａ，Ｐ０８Ｂ）。例えば、携帯端末４１Ｂは、安否応答を促すための操作画面をタッチパネル４４Ｂに表示させる。図１７に携帯端末４１Ｂの表示画面の一例を示す。図１７の例では、操作画面には、ユーザから安否確認が要求されていることを示すメッセージと、安否確認に応答するか否かを問い合わせるメッセージとが表示されている。図１７の例では、ユーザは、「応答する」と表示された操作ボタンをタッチ操作することで安否確認に応答することができる。なお、安否情報の応答の問合せには、図１７に示す画面表示とともに、音声出力部４３Ｂからの音声出力を用いることができる。また、ユーザによる安否応答は、上述した操作に代えて、携帯端末４１Ｂに設けられた音声入力部を用いて音声応答により行なってもよい。
【０１４０】
台所リモコン２０、浴室リモコン３０および携帯端末４１Ｂのいずれかにおいて安否確認に応答することで、浴室２０内の人Ｍが無事であることを携帯端末４１Ａのユーザに対して知らせることができる。あるいは、安否確認に対する応答が無いことで、人Ｍの体調に何等かの異変が生じているために応答不能な状況であることを携帯端末４１Ａのユーザに対して知らせることができる。
【０１４１】
安否確認指令を送信した後（Ｐ４７）、携帯端末４１Ａのタッチパネル４４Ａには、安否確認の実行中であることを示すメッセージが表示される（図１４（ｂ）参照）。ユーザは、安否応答待ちの状況において、「中断する」と表示された操作ボタンをタッチ操作することで、安否確認を中断させることができる。
【０１４２】
図１６に戻って、携帯端末４１Ｂは、ユーザによる安否応答を受け付けると（Ｐ４９）、安否応答を台所リモコン２０および携帯端末４１Ａに送信する（Ｐ５０）。台所リモコン２０は、携帯端末４１Ｂから安否応答を受信すると、受信した安否応答に基づいた安否情報を報知する（Ｐ１１）。携帯端末４１Ａも同様に、安否応答を受信すると、図１４（ｃ）に示すように、受信した安否応答に基づいた安否情報を報知する（Ｐ５１）。安否情報の報知には、図１４（ｃ）に示す画面表示とともに、音声出力部４３Ａからの音声出力を用いることができる。
【０１４３】
これに対して、浴室リモコン３０、台所リモコン２０および携帯端末４１Ｂのいずれからも安否応答を受信できない場合、すなわち人Ｍからの安否応答が無い場合には、携帯端末４１Ａは、安否情報として、安否応答が無い旨を報知する（図１４（ｄ）参照）。ユーザは、「終了する」と表示された操作ボタンをタッチ操作することで、安否確認を終了することができる。
【０１４４】
なお、台所リモコン２０および携帯端末４１Ａ，４１Ｂにおける安否確認機能の有効／無効は、浴室リモコン３０、台所リモコン２０および携帯端末４１Ａ，４１Ｂの各々で設定することができる。
【０１４５】
なお、実施の形態３に係る安否確認機能において、携帯端末４１Ａにて実行される安否確認機能に関連する動作は、図１１に示したフローチャートを援用して説明することができる。また、携帯端末４１Ａにて安否確認が実行された場合の携帯端末４１Ｂおよび台所リモコン２０にて実行される安否確認機能に関連する動作は、図１２に示したフローチャートを援用して説明することができる。
【０１４６】
以上説明したように、本実施の形態に係る風呂装置１００が実現する安否確認機能の第３の実施態様によれば、浴室６０内の人Ｍの入浴時間が第１の基準時間を超過した場合には、浴室６０外のユーザは、携帯端末４１Ａ，４１Ｂを用いて人Ｍの安否を確認することができる。第３の実施態様によれば、入浴時間の超過を報知するように構成された従来技術と比較して、浴室リモコン３０の操作に基づいて人Ｍの安否を確認することができるため、ユーザは、浴室６０に出向かなくても、人Ｍの安否を簡便かつ適切に確認することができる。
【０１４７】
第３の実施態様では、さらに、台所リモコン２０または宅内の携帯端末４１Ｂの操作に基づいて人Ｍの安否を確認することができるため、宅外のユーザは人Ｍの安否を迅速に確認することができる。また、宅内のユーザは、台所付近に居ない場合であっても携帯端末４１Ｂを用いて安否情報を応答することができるため、宅内のユーザの利便性が高められるとともに、迅速な安否確認を行なうことができる。
【０１４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４９】
１  筐体、１ａ  排気口、２，２ａ，２ｂ  バーナ、３，３ａ，３ｂ  ファン、４，４ａ，４ｂ  熱交換器、５  給水配管、５ａ  入水口、６  給湯配管、６ａ  出湯口、７  混合弁、８  循環路、８ａ  戻り配管、９  温度センサ、１０  給湯器、１１  水位センサ、１２  コントローラ、１３  二方注湯弁、１４  電気配線、１６  ポンプ、１７  温度センサ、１８，２７，２８，３８，４７Ａ，４７Ｂ  通信部、２０  台所リモコン、２１，３１  通信線、２２，３２  運転スイッチ、２３，２３Ａ，２３Ｂ，３３，３３Ａ，３３Ｂ  操作スイッチ、２４，３４，４３Ａ，４３Ｂ  音声出力部、２５，３５  表示部、２６，３７，４６Ａ，４６Ｂ  制御部、３０  浴室リモコン、３６  人検知センサ、４０  ルータ、４１Ａ，４１Ｂ  携帯端末、４４Ａ，４４Ｂ  タッチパネル、４５  ネットワーク、５０  サーバ、５１，５２Ａ，５２Ｂ  通信経路、５３  基地局、６０  浴室、６２  浴槽、６４  湯水、１００  風呂装置、１２８  タイマ。
【図１】
2020047182.tif 000003
【図２】
2020047182.tif 000004
【図３】
2020047182.tif 000005
【図４】
2020047182.tif 000006
【図５】
2020047182.tif 000007
【図６】
2020047182.tif 000008
【図７】
2020047182.tif 000009
【図８】
2020047182.tif 000010
【図９】
2020047182.tif 000011
【図１０】
2020047182.tif 000012
【図１１】
2020047182.tif 000013
【図１２】
2020047182.tif 000014
【図１３】
2020047182.tif 000015
【図１４】
2020047182.tif 000016
【図１５】
2020047182.tif 000017
【図１６】
2020047182.tif 000018
【図１７】
2020047182.tif 000019